(57)【要約】【課題】天候情報を取得できない場合でも、より予報精度の高い天候予報を表示できる時計を提供する。【解決手段】時計１は、取得時点毎に天候情報を取得する天候情報取得部であって、天候情報として取得時点間の間隔より長い期間の天候予報を含む情報を取得する天候情報取得部７３と、天候情報として、第１期間の天候予報を表す第１天候予報と、第１期間より長い第２期間の天候予報を表す第２天候予報と、を含む情報を記憶する記憶部８０と、取得時点を起点とした設定期間までは、第１天候予報を表示させるように制御し、設定期間を経過後には、第１天候予報を表示せずに第２天候予報を表示させるように制御する表示制御部７２と、を備える。【選択図】図１
2018124101.tif 000002
【特許請求の範囲】
【請求項１】
取得時点毎に天候情報を取得する天候情報取得部であって、前記天候情報として前記取得時点間の間隔より長い期間の天候予報を含む情報を取得する天候情報取得部と、
前記天候情報として、第１期間の天候予報を表す第１天候予報と、前記第１期間より長い第２期間の天候予報を表す第２天候予報と、を含む情報を記憶する天候情報記憶部と、
前記取得時点を起点とした設定期間までは、前記第１天候予報を表示させるように制御し、前記設定期間を経過後には、前記第１天候予報を表示せずに前記第２天候予報を表示させるように制御する表示制御部と、
を備えることを特徴とする携帯機器。
【請求項２】
前記取得時点は、第１取得時点と、前記第１取得時点の後の第２取得時点と、を含み、
前記天候情報記憶部は、前記第１取得時点における前記天候情報を、前記第２取得時点における前記天候情報に置き換える、
ことを特徴とする請求項１に記載の携帯機器。
【請求項３】
前記取得時点間の間隔は、前記設定期間より短い、
ことを特徴とする請求項１または２に記載の携帯機器。
【請求項４】
第１入力部と第２入力部とを備え、
前記天候情報は、複数日時の前記天候予報を含み、
前記天候予報は、天気、温度、湿度、風向、風速、降水確率、降水量、および紫外線情報のうち少なくとも２つの情報を含み、
前記表示制御部は、前記複数日時の天候予報をそれぞれ表示する状態と、前記少なくとも２つの情報をそれぞれ表示する状態と、を制御し、
前記第１入力部は、前記複数日時の天候予報の表示を切り替え、
前記第２入力部は、前記少なくとも２つの情報の表示を切り替える、
ことを特徴とする請求項１から３のいずれか１項に記載の携帯機器。
【請求項５】
請求項１から４のいずれか１項に記載の携帯機器により構成された時計であって、
前記表示制御部により前記天候情報を表示する天候表示部と、
時刻を表示する時刻表示部と、
をさらに備えることを特徴とする時計。
【発明の詳細な説明】
【技術分野】
【０００１】
本発明は、携帯機器および時計に関するものである。
【背景技術】
【０００２】
従来、天候予報を含む天候情報（気象情報）を定期的に取得して、天候予報を表示可能な携帯機器がある。例えば、特許文献１には、少なくとも日付を設定する日付設定手段と、文字データを含む放送を受信する受信手段と、この受信手段によって受信される文字データの内、日付設定手段により設定された日付の天気予報データを記憶する記憶手段と、受信手段が日付設定手段により設定された日付の天気予報データを受信した際に、この受信した天気予報データが記憶手段に記憶されている天気予報データと異なる場合に報知する報知手段とを備える受信装置が記載されている。また、特許文献２には、無線電話装置から基地局を経由して接続される天気予報の情報提供者から送られた天気予報の情報を受信し、情報を無線電話装置のメモリに保存し、無線電話装置の使用者の操作によりメモリに保存した情報を無線電話装置の表示部に表示することを特徴とする天気予報付無線電話装置が記載されている。
【先行技術文献】
【特許文献】
【０００３】
【特許文献１】特開平９−３２１６３９号公報
【特許文献２】特開平１０−２２４８６９号公報
【発明の概要】
【発明が解決しようとする課題】
【０００４】
ところで、天候情報には、例えば１時間毎等の天候の推移を含む短期間の天候予報が含まれる場合がある。短期間の天候予報は、携帯機器において頻繁に取得されることを前提とされるとともに、天候情報を発信する情報提供者において頻繁に更新される。このため、短期間の天候予報の予報精度は、天候情報が発信された時点の直近の予報に比べ時間が経過するに従い低下する傾向にある。
【０００５】
携帯機器は、その使用環境等の影響により正常に通信を行えない場合には、天候情報を発信する情報提供者において発信された最新の天候情報を取得できない可能性がある。その結果、携帯機器は、短期間の天候予報として、最新でない天候情報に基づく予報精度の低い予報を表示したり、天候情報を更新するまで天候予報の表示を停止したりする。つまり、従来の携帯機器においては、天候情報を取得できないことによって、予報精度の低い天候予報が表示されること、および天候予報の表示が停止されることを抑制するという点で、改善の余地がある。
【０００６】
そこで本発明は、天候情報を取得できない場合でも、より予報精度の高い天候予報を表示できる携帯機器および時計を提供するものである。
【課題を解決するための手段】
【０００７】
本発明の携帯機器は、取得時点毎に天候情報を取得する天候情報取得部であって、前記天候情報として前記取得時点間の間隔より長い期間の天候予報を含む情報を取得する天候情報取得部と、前記天候情報として、第１期間の天候予報を表す第１天候予報と、前記第１期間より長い第２期間の天候予報を表す第２天候予報と、を含む情報を記憶する天候情報記憶部と、前記取得時点を起点とした設定期間までは、前記第１天候予報を表示させるように制御し、前記設定期間を経過後には、前記第１天候予報を表示せずに前記第２天候予報を表示させるように制御する表示制御部と、を備えることを特徴とする。
【０００８】
上記の携帯機器において、前記取得時点は、第１取得時点と、前記第１取得時点の後の第２取得時点と、を含み、前記天候情報記憶部は、前記第１取得時点における前記天候情報を、前記第２取得時点における前記天候情報に置き換える、ことが望ましい。
【０００９】
上記の携帯機器において、前記取得時点間の間隔は、前記設定期間より短い、ことが望ましい。
【００１０】
上記の携帯機器において、第１入力部と第２入力部とを備え、前記天候情報は、複数日時の前記天候予報を含み、前記天候予報は、天気、温度、湿度、風向、風速、降水確率、降水量、および紫外線情報のうち少なくとも２つの情報を含み、前記表示制御部は、前記複数日時の天候予報をそれぞれ表示する状態と、前記少なくとも２つの情報をそれぞれ表示する状態と、を制御し、前記第１入力部は、前記複数日時の天候予報の表示を切り替え、前記第２入力部は、前記少なくとも２つの情報の表示を切り替える、ことが望ましい。
【００１１】
本発明の時計は、上記の携帯機器により構成された時計であって、前記表示制御部により前記天候情報を表示する天候表示部と、時刻を表示する時刻表示部と、をさらに備えることを特徴とする。
【発明の効果】
【００１２】
本発明によれば、天候情報取得部が最新の天候情報を取得できず、天候情報記憶部に記憶された天候情報に含まれる第１天候予報の精度が取得時点からの時間経過に伴って低下している場合に、第１天候予報を表示せずに第１天候予報よりも予報精度の高い第２天候予報を表示できる。これにより、天候情報を取得できない場合でも、より精度の高い天候予報を表示できる。
【図面の簡単な説明】
【００１３】
【図１】実施形態に係る時計を含むシステムの構成例を示すブロック図である。
【図２】実施形態に係る時計の平面図である。
【図３】実施形態に係る記憶部に記憶されている天候情報の一例を示す図である。
【図４】実施形態に係る時計の動作を説明する図である。
【図５】天候情報表示モードの表示例を示す図である。
【図６】天候情報表示モードの表示例を示す図である。
【図７】天候情報表示モードの表示例を示す図である。
【図８】天候情報表示モードの表示例を示す図である。
【図９】天候情報表示モードの表示例を示す図である。
【図１０】天候情報表示モードの表示例を示す図である。
【図１１】表示部に表示させる天候予報の日時を決定する際に主制御部が行う処理のフローチャートである。
【図１２】表示部に表示させる天候予報の日時の一例を示す図である。
【発明を実施するための形態】
【００１４】
以下、本発明の実施形態を図面に基づいて説明する。なお、以下の実施形態では、携帯機器としてデジタル式の時計を例に挙げて説明する。
【００１５】
＜時計＞
図１は、実施形態に係る時計を含むシステムの構成例を示すブロック図である。
図１に示すように、時計１は、ケース１０と、電源部２０と、発振回路３０と、分周回路４０と、入力部５０と、通信部６０と、主制御部７０と、記憶部８０（天候情報記憶部）と、表示部９０（天候表示部、時刻表示部）と、を備えている。時計１は、無線通信を介して外部端末２００と通信を行い、情報の送受信を行う。外部端末２００の構成については後述する。
【００１６】
＜ケース＞
図２は、実施形態に係る時計の平面図である。なお、図２は、後述する時計モードを実行している状態であって、８時２０分１５秒を表示している状態を示している。
図２に示すように、ケース１０は、胴１１と、裏蓋（不図示）と、ガラス１２と、を備えている。胴１１は、円筒状に形成されている。胴１１の一方の開口は、ガラス１２により閉塞されている。胴１１の他方の開口は、裏蓋により閉塞されている。胴１１の内側には、回路ブロック（不図示）が配置されている。なお、以下の説明では、ケース１０のガラス１２側を表側と称し、その反対側を裏側と称する。また、以下の説明では、胴１１の周方向における位置は、デジタル式の時計１をアナログ式の時計に仮想的に置き換えることにより表現する。つまり、例えば「１２時に対応する位置」は、アナログ式時計の時針が１２時を指示する際に向く位置である。
【００１７】
胴１１の表側の開口縁には、天気を示す天気記号１３と、月齢を示す月齢記号１４と、降水量や降水確率、温度等を示すことが可能な目盛１５と、潮位を示す潮位記号１６と、が明示されている。天気記号１３は、１時から２時に対応する位置に設けられている。天気記号１３は、晴れを示す記号と、曇を示す記号と、雨を示す記号と、雪を示す記号と、により構成されている。月齢記号１４は、４時から５時に対応する位置に設けられている。月齢記号１４は、月齢がおよそ１５（すなわち満月）であることを示す記号と、月齢がおよそ２１（すなわち下弦の月）であることを示す記号と、月齢がおよそ０（すなわち新月）であることを示す記号と、月齢がおよそ７（すなわち上弦の月）であることを示す記号と、により構成されている。目盛１５は、７時から９時に対応する位置に設けられている。潮位記号１６は、１０時から１１時に対応する位置に設けられている。潮位記号１６は、干潮を示す記号や満潮を示す記号等により構成されている。
【００１８】
＜電源部＞
図１に示すように、電源部２０は、主制御部７０等に電力を供給する。電源部２０は、例えば一次電池を備えている。なお、電源部は、太陽電池と、太陽電池から供給された電気エネルギーを蓄える二次電池と、二次電池の充放電を制御する充放電制御回路と、を備えていてもよい。
【００１９】
＜発振回路＞
発振回路３０は、水晶振動子と組み合わせることで発振器を実現する回路である。発振回路３０は、生成した所定の周波数の信号を分周回路４０に出力する。
【００２０】
＜分周回路＞
分周回路４０は、発振回路３０が出力した所定の周波数の信号を分周し、分周した信号を主制御部７０に出力する。
【００２１】
＜入力部＞
図２に示すように、入力部５０は、複数（本実施形態では４個）のボタン５１〜５４を備えている。各ボタン５１〜５４は、ケース１０の胴１１の側面に配置されている。各ボタン５１〜５４は、第１ボタン５１（第２入力部）と、第２ボタン５２（第１入力部）と、第３ボタン５３と、第４ボタン５４と、である。第１ボタン５１は、胴１１の１時から２時に対応する位置に設けられている。第２ボタン５２は、胴１１の４時から５時に対応する位置に設けられている。第３ボタン５３は、胴１１の７時から８時に対応する位置に設けられている。第４ボタン５４は、胴１１の１０時から１１時に対応する位置に設けられている。入力部５０は、ボタン５１〜５４が使用者により操作（例えば押圧操作）された場合に、この操作に応じた操作信号を主制御部７０に出力する。
【００２２】
＜通信部＞
通信部６０は、例えばＷｉ−Ｆｉ（Ｗｉｒｅｌｅｓｓ  Ｆｉｄｅｌｉｔｙ）規格や、Ｂｌｕｅｔｏｏｔｈ（登録商標）  ＬＥ（Ｌｏｗ  Ｅｎｅｒｇｙ）規格の通信方式を用いて、外部端末２００との間で、後述する天候情報を含む各種情報の送受信を行う。通信部６０は、外部端末２００から受信した情報を主制御部７０に出力する。また、通信部６０は、主制御部７０が出力した情報を、外部端末２００へ送信する。
【００２３】
＜主制御部＞
主制御部７０は、入力部５０から出力された操作信号に基づいて、時計１が備える各構成要素の制御を行う。主制御部７０は、電源制御部７１と、表示制御部７２と、天候情報取得部７３と、を備えている。
【００２４】
電源制御部７１は、電源部２０から供給される電力を、所望の電圧値に降圧して、各回路に供給する。
表示制御部７２は、例えばＣＰＵ（Ｃｅｎｔｒａｌ  Ｐｒｏｃｅｓｓｉｎｇ  Ｕｎｉｔ）である。表示制御部７２は、表示部９０を制御して、表示部９０に各種情報を表示させる。
【００２５】
天候情報取得部７３は、通信部６０を介して外部端末２００と通信し、外部端末２００が例えば天候情報を発信する情報提供者等から取得した天候情報を取得する。天候情報取得部７３は、所定の取得時点毎に天候情報を取得する。天候情報取得部７３は、取得した天候情報を記憶部８０に記憶させる。天候情報取得部７３は、第１取得時点において取得した天候情報を、第１取得時点の後の第２取得時点において取得した天候情報に置き換えて記憶部８０に記憶させる。なお、取得時点は、予め時計１に設定された所定のタイミングであってもよいし、ユーザーによって設定された所定のタイミングであってもよい。所定の取得時点は、定期的であってもよいし、不定期的であってもよい。取得時点間の間隔は、後述する設定期間よりも短く設定される。
【００２６】
天候情報取得部７３は、上述した取得時点間の間隔より長い期間の天候予報を含む天候情報を取得する。天候情報取得部７３が取得する天候情報は、複数の日時の天候予報を含んでいる。なお、日時とは、日付および時刻の組み合わせであり、日付および時刻のうち少なくともいずれか一方が異なる場合は、異なる日時となる。すなわち、複数の日時とは、天候予報に対応する日付が同一であって時刻が異なる場合も含む。
【００２７】
天候情報取得部７３が取得する天候情報は、第１期間の天候予報を表す第１天候予報と、第１期間より長い第２期間の天候予報を表す第２天候予報と、を含んでいる。本実施形態では、第１天候予報は、１時間（第１期間）の天候予報を表す１時間予報である。１時間予報は、１時間毎の天候の推移を表す。第２天候予報は、１日（第２期間）の天候予報を表す１日予報である。１日予報は、１日毎の天候の推移を表す。天候予報は、天気、温度、湿度、風速、風向、降水確率および降水量の情報を含んでいる。なお、天気とは、晴れや曇、雨、雪等の要素、およびこれら複数の要素の組み合わせ（例えば晴れ時々曇り等）である。
【００２８】
＜記憶部＞
記憶部８０は、例えば、ＲＡＭ（Ｒａｎｄｏｍ  Ａｃｃｅｓｓ  Ｍｅｍｏｒｙ、ランダムアクセスメモリ）やＲＯＭ（Ｒｅａｄ  Ｏｎｌｙ  Ｍｅｍｏｒｙ、読み出し専用メモリ）等の不揮発性の記憶媒体である。記憶部８０は、天候情報取得部７３が取得した天候情報を含む各種情報を記憶する。
【００２９】
図３は、実施形態に係る記憶部に記憶されている天候情報の一例を示す図である。
図３に示すように、記憶部８０には、天候情報取得部７３が取得した天候情報が記憶される。具体的には、記憶部８０には、複数の時刻の１時間予報と各１時間予報に対応する時刻とが対応付けられて記憶されているとともに、複数の日付の１日予報と各１日予報に対応する日付とが対応付けられて記憶されている。本実施形態では、記憶部８０には、第１時刻から第７時刻までの１時間毎の６期間の１時間予報と、当日から６日後までの１日毎の７期間の１日予報と、が記憶されている。
【００３０】
＜表示部＞
図１に示すように、表示部９０は、表示制御部７２より制御され、時刻や天候情報等を表示する。表示部９０は、例えば、液晶ディスプレイである。図２に示すように、表示部９０は、平面視略円形状に形成され、ケース１０内における回路ブロック（不図示）とガラス１２との間に配置されている。表示部９０は、ガラス１２を通じて視認可能に設けられている。表示部９０は、表示部９０の中央に設けられた主表示部９１と、主表示部９１を囲うように円環状に配置された副表示部９２と、を備えている。
【００３１】
主表示部９１は、数字や文字、記号等を表示可能に形成されている。主表示部９１は、例えば時刻や日付、天候情報、電池残量等を表示する。副表示部９２は、表示部９０の外周に沿って並ぶ複数（本実施形態では６０個）のドット９３を表示可能に形成されている。各ドット９３は、平面視でケース１０の胴１１の表側の開口縁に隣接している。副表示部９２は、胴１１の表側の開口縁に明示された各種記号１３，１４，１６および目盛１５に近接するドット９３を表示して、各種記号１３，１４，１６および目盛１５とドット９３とを対応付けることにより、天気や月齢、降水量、降水確率、温度、潮位等を表示する。また、副表示部９２は、１２時に対応する位置を北、３時に対応する位置を東、６時に対応する位置を南、９時に対応する位置を西として、方角とドット９３とを対応付けるようにドット９３を表示することにより、風向を表示する。
【００３２】
＜外部端末＞
図１に示すように、外部端末２００は、通信機能を有する機器である。外部端末２００は、例えばスマートフォンやタブレット端末、携帯ゲーム機器、コンピュータ等である。外部端末２００は、制御部２０１と、入力部２０２と、表示部２０３と、記憶部２０４と、無線通信部２０５と、を備えている。外部端末２００は、例えばＧＰＳ（Ｇｌｏｂａｌ  Ｐｏｓｉｔｉｏｎｉｎｇ  Ｓｙｓｔｅｍ；グローバル・ポジショニング・システム）を備えていてもよい。
【００３３】
制御部２０１は、ネットワークを介して、天候情報を発信する情報提供者等から天候情報を取得し、記憶部２０４に記憶させる。
入力部２０２は、使用者からの操作入力を検出し、検出した操作結果を制御部２０１に出力する。入力部２０２は、例えば表示部２０３上に設けられているタッチパネルセンサーである。
【００３４】
表示部２０３は、例えば液晶ディスプレイである。表示部２０３には、制御部２０１の制御に応じて情報を表示する。
記憶部２０４は、外部端末２００の制御に必要な情報や、プログラム、上述した天候情報等を記憶する。
【００３５】
無線通信部２０５は、アンテナを介して少なくとも時計１へ情報の送信を行う。無線通信部２０５は、制御部２０１が出力した送信情報に基づいて送信信号を生成し、生成した送信信号を、アンテナを介して時計１へ送信する。また、無線通信部２０５は、時計１が送信した送信信号を、アンテナを介して受信し、受信した信号から情報を抽出し、抽出した情報を受信情報として制御部２０１へ出力する。
【００３６】
＜時計の動作＞
次に、実施形態に係る時計１の動作について説明する。
図４は、実施形態に係る時計の動作を説明する図である。
図４に示すように、主制御部７０は、入力部５０（ボタン５１〜５４）が操作された場合に、時計１の動作モードを切り替える。ここで、動作モードは、表示部９０が主に現在時刻や曜日、日付等を表示する時計モードと、表示部９０が天候情報を表示する天候情報表示モードと、を含んでいる。主制御部７０は、第３ボタン５３が操作された場合に、時計１の動作モードを時計モードから天候情報表示モードに切り替える。また、主制御部７０は、第４ボタン５４が操作された場合に、時計１の動作モードを天候情報表示モードから時計モードに切り替える。
【００３７】
図２に示すように、時計モードでは、表示制御部７２は、主表示部９１の中央部に現在時刻の時分を表示する。また、表示制御部７２は、主表示部９１の中央部よりも１２時側に対応する領域（以下、上部領域という。）に曜日を表示する。また、表示制御部７２は、主表示部９１の中央部よりも６時側に対応する領域（以下、下部領域という。）に日付を表示する。また、表示制御部７２は、副表示部９２に現在時刻の秒を表示する。表示制御部７２は、例えば現在時刻の秒が１秒のときに複数のドット９３のうち１秒に対応する位置の１ドット目を表示させ、現在時刻の秒が１５秒の時に複数のドット９３のうち１秒に対応する位置の１ドット目から１５秒に対応する位置の１５ドット目までを表示させる。このように、表示制御部７２は、現在時刻の秒が進むに従い副表示部９２に表示されるドット９３の表示面積が広くなるように副表示部９２を制御する。
【００３８】
天候情報表示モードでは、表示制御部７２は、現在時刻および天候予報の両方を表示するメイン表示と、詳細な天候予報を表示する詳細表示と、を切り替えて表示する。メイン表示は、時計モードからの切り替え後に表示される。
【００３９】
図５から図９は、天候情報表示モードの表示例を示す図であって、実施形態に係る時計の平面図である。
図５に示すように、メイン表示では、表示制御部７２は、主表示部９１の中央部に現在時刻の時分を表示する。また、表示制御部７２は、主表示部９１の上部領域に、所定の第１日時の天気を表示する。また、表示制御部７２は、主表示部９１の下部領域に、第１日時の気温を表示させる。また、表示制御部７２は、副表示部９２にドット９３を表示させることにより、第１日時の天気および降水量（または降水確率）、当日（現在日時の日付）の月齢、並びに現在時刻の潮位を表示させる。なお、所定の第１日時は、記憶部８０に記憶された第１天候予報（１時間予報）に対応する時刻のうち現在時刻よりも未来であって現在時刻に最も近い時刻、または当日である。
【００４０】
図４に示すように、詳細表示は、メイン表示が表示されている状態で、第１ボタン５１が操作された場合に表示される。詳細表示は、第１日時を含む複数の日時の詳細な天候予報をそれぞれ日時毎に表示する。本実施形態では、詳細表示は、第１日時の詳細な天候予報を表示する第１詳細表示から、第７日時の詳細な天候予報を表示する第７詳細表示までの、７つの詳細表示を含んでいる。各日時の詳細表示は、１時間予報である場合、天気および温度を表示する天気温度表示と、降水量を表示する降水量表示と、風速および風向を表示する風速風向表示と、湿度を表示する湿度表示と、を含んでいる。各日時の詳細表示は、１日予報である場合、天気および温度を表示する天気温度表示と、降水確率を表示する降水確率表示と、を含んでいる。なお、第１日時から第７日時の決定方法については後述する。
【００４１】
図６に示すように、天気温度表示では、表示制御部７２は、主表示部９１の中央部に、温度を表示する。また、表示制御部７２は、主表示部９１の上部領域に、天気を文字により表示する。また、表示制御部７２は、主表示部９１の下部領域に、表示された天候予報に対応する日時（予報時刻または予報日付）を表示する。また、表示制御部７２は、副表示部９２のドット９３を表示させることで、天気を表示する。
【００４２】
図７に示すように、降水量表示では、表示制御部７２は、主表示部９１の中央部に、降水量の数字を表示する。また、表示制御部７２は、主表示部９１の上部領域に、降水量の単位（図示の例では「ｍｍ」）を表示する。また、表示制御部７２は、主表示部９１の下部領域に、表示された天候予報に対応する日時（予報時刻または予報日付）を表示する。また、表示制御部７２は、副表示部９２のドット９３を表示させることで、天気および降水量を表示する。
【００４３】
図８に示すように、風速風向表示では、表示制御部７２は、主表示部９１の中央部に、風速の数字を表示する。また、表示制御部７２は、主表示部９１の上部領域に、風速の単位（図示の例では「ｍ／ｓ」）を表示する。また、表示制御部７２は、主表示部９１の下部領域に、表示された天候予報に対応する日時（予報時刻または予報日付）を表示する。また、表示制御部７２は、副表示部９２のドット９３を表示させることで、風向を表示する。図示の例では、表示制御部７２は、複数のドット９３のうち、６時に対応する位置近傍のドット９３を、それ以外の位置のドット９３よりも表示面積が広くなるように表示することで、風向が南であることを表示している。
【００４４】
図９に示すように、湿度表示では、表示制御部７２は、主表示部９１の中央部に、湿度の数字を表示する。また、表示制御部７２は、主表示部９１の上部領域に、湿度の単位（図示の例では「％ＲＨ」）を表示する。また、表示制御部７２は、主表示部９１の下部領域に、表示された天候予報に対応する日時（予報時刻または予報日付）を表示する。また、表示制御部７２は、副表示部９２のドット９３を表示させることで、天気および湿度を表示する。
【００４５】
図１０に示すように、降水確率表示では、表示制御部７２は、主表示部９１の中央部に、降水確率の数字を表示する。また、表示制御部７２は、主表示部９１の上部領域に、降水確率の単位（図示の例では「％」）を表示する。また、表示制御部７２は、主表示部９１の下部領域に、表示された天候予報に対応する日時（予報時刻または予報日付）を表示する。また、表示制御部７２は、副表示部９２のドット９３を表示させることで、降水確率を表示する。
【００４６】
図４に示すように、表示制御部７２は、表示部９０にメイン表示が表示されている状態で第１ボタン５１が操作されることにより、第１詳細表示に表示を切り替える。表示制御部７２は、第２ボタン５２が操作されることにより、第１詳細表示から第７詳細表示に、順に表示を切り替える。表示制御部７２は、表示部９０に第７詳細表示が表示されている状態で第２ボタン５２が操作されることにより、メイン表示に表示を切り替える。また、表示制御部７２は、表示部９０に第１詳細表示から第７詳細表示のいずれかが表示されている状態で、第３ボタン５３が操作された場合、または入力部５０が所定の時間（例えば２０秒）操作されなかった場合に、メイン表示に表示を切り替える。
【００４７】
表示制御部７２は、表示部９０に第１詳細表示から第７詳細表示のいずれかが表示されている状態で第１ボタン５１が操作されることにより、天気温度表示や降水量表示、風速風向表示、湿度表示、降水確率表示等の表示を順に切り替える。例えば、詳細表示が１時間予報を表示している場合には、天気温度表示、降水量表示、風速風向表示および湿度表示を順に切り替えて表示する。また、詳細表示が１日予報を表示している場合には、天気温度表示および降水確率表示を順に切り替えて表示する。なお、第１詳細表示では、表示制御部７２は、第１ボタン５１の操作により天気温度表示、降水量表示、風速風向表示および湿度表示の表示が一巡すると、メイン表示に表示を切り替える。
【００４８】
続いて、上述した天候表示モードにおいて表示される天候予報に対応する第１日時から第７日時の決定方法について説明する。
表示制御部７２は、記憶部８０に記憶されている天候情報の取得時点を起点とした所定の設定期間までは、第１天候予報（１時間予報）を表示させるように表示部９０を制御し、設定期間を経過後には、第１天候予報を表示せずに第２天候予報（１日予報）を表示させるように表示部９０を制御する。つまり、所定の設定期間は、第１天候予報を表示させることができる表示期限である。所定の設定期間は、天候情報取得部７３が天候情報を取得する取得時点間の間隔以上に設定されている。以下の説明では、所定の設定期間として、４時間が設定されている場合を例に挙げて説明する。
【００４９】
図１１は、表示部に表示させる天候予報の日時を決定する際に主制御部が行う処理のフローチャートである。
図１１に示すように、主制御部７０は、時計１の動作モードが時計モードから天候情報表示モードに切り替わると、現在時刻が記憶部８０に記憶された天候情報の取得時点から２４時間以下であるか否かを判定する（ステップＳ１０）。現在時刻が記憶部８０に記憶された天候情報の取得時点から２４時間以下の場合（Ｓ１０：Ｙｅｓ）、ステップＳ２０に移行する。現在時刻が記憶部８０に記憶された天候情報の取得時点から２４時間以上経過している場合（Ｓ１０：Ｎｏ）、表示制御部７２は、第１日時から第７日時を設定せずに、処理を終了する。この場合、表示部９０には、天候予報が表示されない。
【００５０】
ステップＳ２０では、主制御部７０は、現在時刻が記憶部８０に記憶された天候情報の取得時点から４時間以下であるか否かを判定する。現在時刻が記憶部８０に記憶された天候情報の取得時点から４時間以下の場合（Ｓ２０：Ｙｅｓ）、ステップＳ３０に移行する。現在時刻が記憶部８０に記憶された天候情報の取得時点から４時間を経過している場合（Ｓ２０：Ｎｏ）、ステップＳ２１に移行する。
【００５１】
ステップＳ２１では、主制御部７０は、現在日時が記憶部８０に記憶された天候情報の取得時点当日であるか否かを判定する。現在日時が記憶部８０に記憶された天候情報の取得時点当日である場合（Ｓ２１：Ｙｅｓ）、ステップＳ２２に移行する。現在日時が記憶部８０に記憶された天候情報の取得時点当日でない場合（Ｓ２１：Ｎｏ）、すなわち現在日時が記憶部８０に記憶された天候情報の取得時点１日後の場合、ステップＳ２３に移行する。
【００５２】
ステップＳ２２では、主制御部７０は、上述した第１日時を取得時点当日とし、第２日時を取得時点１日後とし、第３日時を取得時点２日後とし、第４日時を取得時点３日後とし、第５日時を取得時点４日後とし、第６日時を取得時点５日後として設定する。なお、第７日時は設定しない。そして、処理を終了する。これにより、表示部９０には、現在日時当日から５日後までの１日予報が表示される。
【００５３】
ステップＳ２３では、主制御部７０は、上述した第１日時を取得時点１日後とし、第２日時を取得時点２日後とし、第３日時を取得時点３日後とし、第４日時を取得時点４日後とし、第５日時を取得時点５日後とし、第６日時を取得時点６日後として設定する。なお、第７日時は設定しない。そして、処理を終了する。これにより、表示部９０には、現在日時当日から５日後までの１日予報が表示される。
【００５４】
ステップＳ３０では、主制御部７０は、現在時刻が記憶部８０に記憶された天候情報の第１時刻の過去であるか否かを判定する。現在時刻が第１時刻の過去である場合（Ｓ３０：Ｙｅｓ）、ステップＳ３１に移行する。現在時刻が第１時刻の過去でない場合（Ｓ３０：Ｎｏ）、すなわち現在時刻が第１時刻を経過している場合、ステップＳ４０に移行する。
【００５５】
ステップＳ３１では、主制御部７０は、上述した第１日時を第１時刻とし、第２日時を第２時刻とし、第３日時を第３時刻として設定する。続いて、ステップＳ６０に移行する。ステップＳ６０については後述する。
【００５６】
ステップＳ４０では、主制御部７０は、現在時刻が記憶部８０に記憶された天候情報の第２時刻の過去であるか否かを判定する。現在時刻が第２時刻の過去である場合（Ｓ４０：Ｙｅｓ）、すなわち現在時刻が第１時刻と第２時刻との間である場合、ステップＳ４１に移行する。現在時刻が第２時刻の過去でない場合（Ｓ４０：Ｎｏ）、すなわち現在時刻が第２時刻を経過している場合、ステップＳ５０に移行する。
【００５７】
ステップＳ４１では、主制御部７０は、上述した第１日時を第２時刻とし、第２日時を第３時刻とし、第３日時を第４時刻として設定する。続いて、ステップＳ６０に移行する。
【００５８】
ステップＳ５０では、主制御部７０は、現在時刻が記憶部８０に記憶された天候情報の第３時刻の過去であるか否かを判定する。現在時刻が第３時刻の過去である場合（Ｓ５０：Ｙｅｓ）、すなわち現在時刻が第２時刻と第３時刻との間である場合、ステップＳ５１に移行する。現在時刻が第３時刻の過去でない場合（Ｓ５０：Ｎｏ）、すなわち現在時刻が第３時刻を経過しているとともに、記憶部８０に記憶された天候情報の取得時点から４時間以下の場合、ステップＳ５２に移行する。
【００５９】
ステップＳ５１では、主制御部７０は、上述した第１日時を第３時刻とし、第２日時を第４時刻とし、第３日時を第５時刻として設定する。続いて、ステップＳ６０に移行する。
【００６０】
ステップＳ５２では、主制御部７０は、上述した第１日時を第４時刻とし、第２日時を第５時刻とし、第３日時を第６時刻として設定する。続いて、ステップＳ６０に移行する。
【００６１】
ステップＳ６０では、主制御部７０は、現在日時が記憶部８０に記憶された天候情報の取得時点当日であるか否かを判定する。現在日時が記憶部８０に記憶された天候情報の取得時点当日である場合（Ｓ６０：Ｙｅｓ）、ステップＳ６１に移行する。現在日時が記憶部８０に記憶された天候情報の取得時点当日でない場合（Ｓ６０：Ｎｏ）、すなわち現在日時が記憶部８０に記憶された天候情報の取得時点１日後の場合、ステップＳ６２に移行する。
【００６２】
ステップＳ６１では、主制御部７０は、上述した第４日時を取得時点当日とし、第５日時を取得時点１日後とし、第６日時を取得時点２日後とし、第７日時を取得時点３日後として設定する。そして、処理を終了する。これにより、表示部９０には、現在時刻よりも未来であって、かつ現在時刻に最も近い時刻から、その２時間後までの１時間予報と、現在日時当日からその３日後までの１日予報と、が表示される。
【００６３】
ステップＳ６２では、主制御部７０は、上述した第４日時を取得時点１日後とし、第５日時を取得時点２日後とし、第６日時を取得時点３日後とし、第７日時を取得時点４日後として設定する。そして、処理を終了する。これにより、表示部９０には、現在時刻よりも未来であって、かつ現在時刻に最も近い時刻から、その２時間後までの１時間予報と、現在日時当日からその３日後までの１日予報と、が順に表示される。
【００６４】
図１２は、表示部に表示させる天候予報の日時の一例を示す図である。
ここで、上述したフローに基づいて決定した第１日時から第７日時に応じて表示される天候予報の具体例について、図１２を参照して説明する。なお、以下の例では、天候情報の取得時点の間隔は、所定の設定期間である４時間よりも短い３時間であるとする。また、天候情報取得部７３が１６時（取得時点）に天候情報を取得し、次の天候情報の取得時点である１９時に天候情報の取得を失敗した場合を例に挙げて説明する。
【００６５】
図１２に示すように、例えば１６時に取得された天候情報は、６時間後（２２時）までの１時間予報と、６日後までの１日予報と、を含んでいる。
現在時刻が天候情報の取得直後の１６時台である場合、上述したステップＳ３１の処理に基づいて、第１日時から第３日時は、第１時刻から第３時刻である１７時から１９時に設定される。また、上述したステップＳ６１の処理に基づいて、第４日時から第７日時は、取得時点当日から取得時点３日後に設定される。これにより、表示部９０は、天候情報表示モードにおいて、１７時から１９時に対応する１時間予報のそれぞれと、当日から３日後に対応する１日予報のそれぞれと、を表示する。
【００６６】
現在時刻が天候情報の取得失敗直後であって、天候情報の取得から所定の設定期間経過前の１９時台である場合、上述したステップＳ５２の処理に基づいて、第１日時から第３日時は、第４時刻から第６時刻である２０時から２２時に設定される。また、上述したステップＳ６１の処理に基づいて、第４日時から第７日時は、取得時点当日から取得時点３日後に設定される。これにより、表示部９０は、天候情報表示モードにおいて、２０時から２２時に対応する１時間予報のそれぞれと、当日から３日後に対応する１日予報のそれぞれと、を表示する。
【００６７】
現在時刻が天候情報の取得から所定の設定期間経過後の２０時台の場合、上述したステップＳ２２の処理に基づいて、第１日時から第６日時は、取得時点当日から取得時点５日後に設定される。これにより、表示部９０は、天候情報表示モードにおいて、１時間予報を表示せずに、当日から５日後に対応する１日予報のそれぞれを表示する。
【００６８】
このように、本実施形態の時計１は、取得時点毎に天候情報を取得する天候情報取得部７３と、１時間の天候予報を表す１時間予報と、１時間より長い期間である１日の天候予報を表す１日予報と、を含む天候情報を記憶する記憶部８０と、取得時点を起点とした所定の設定期間までは、１時間予報を表示させるように制御し、所定の設定期間を経過後には、１時間予報を表示せずに１日予報を表示させるように制御する表示制御部７２と、を備える。
【００６９】
一般に、１時間予報等の短期間の天候予報の予報精度は、天候情報が発信された時点の直近の予報に比べ時間が経過するに従い（直近の予報から遠くなるに従い）低下する傾向にある。これに対して、１日予報等の長期間の天候予報は、天候情報が発信された時点からの時間経過に伴う予報精度の低下が、短期間の天候予報と比べて小さい傾向にある。
本実施形態によれば、天候情報取得部７３が最新の天候情報を取得できず、記憶部８０に記憶された天候情報に含まれる１時間予報の予報精度が取得時点からの時間経過に伴って低下している場合に、１時間予報を表示せずに１時間予報よりも予報精度の高い１日予報を表示できる。これにより、天候情報を取得（更新）できない場合でも、より予報精度の高い天候予報を表示できる。
【００７０】
しかも、天候情報取得部７３が取得する天候情報は、取得時点間の間隔より長い期間の天候予報を含むので、天候情報の取得時点前（更新前）に、天候予報のない期間が生じることを抑制できる。
【００７１】
また、記憶部８０は、第１取得時点における天候情報を、第１取得時点の後の第２取得時点における天候情報に置き換えるので、表示制御部７２は、取得した最新の天候情報を表示できる。したがって、より予報精度の高い天候予報を表示できる。
【００７２】
また、取得時点間の間隔は、所定の設定期間より短いので、天候情報の取得時点からの時間経過に伴って１時間予報の予報精度が低下し、表示部９０が１時間予報を表示しなくなる前に、天候情報取得部７３が新しい天候予報を含む天候情報を取得することができる。したがって、より予報精度の高い天候予報を表示できる。
【００７３】
また、天候情報は、複数日時の天候予報を含み、第２ボタン５２は、複数日時の天候予報の表示を切り替え、第１ボタン５１は、天候予報が含む、例えば天気や降水量等の複数の情報の表示を切り替える。このため、使用者は、第１ボタン５１および第２ボタン５２を操作して、知りたい天候予報を表示部９０に表示させることができる。したがって、天候予報を表示する時計１の利便性を向上させることができる。
【００７４】
なお、本発明は、図面を参照して説明した上述の実施形態に限定されるものではなく、その技術的範囲において様々な変形例が考えられる。
例えば、上記実施形態においては、携帯機器として時計を例に挙げて説明しているが、天候情報を取得して天候予報を表示できる機器であれば時計に限定されない。したがって、例えばスマートフォンやタブレット端末、携帯ゲーム機器等であってもよい。
【００７５】
また、上記実施形態においては、天候予報は、天気、温度、湿度、風速、風向、降水確率および降水量の情報を含んでいるが、さらに紫外線情報を含んでいてもよい。
また、上記実施形態においては、時計１は、外部端末２００を通じて天候情報を取得しているが、例えば天候情報を発信する情報提供者等から天候情報を直接取得してもよい。
【００７６】
また、上記実施形態においては、天候情報取得部７３は、所定の取得時点毎に天候情報を取得しているが、所定の取得時点において天候情報の取得が失敗した場合には、再度天候情報の取得を試みるように構成されていてもよい。
【００７７】
その他、本発明の趣旨を逸脱しない範囲で、上記した実施の形態における構成要素を周知の構成要素に置き換えることは適宜可能である。
【符号の説明】
【００７８】
１…時計（携帯機器）  ５１…第１ボタン（第２入力部）  ５２…第２ボタン（第１入力部）  ７２…表示制御部  ７３…天候情報取得部  ８０…記憶部（天候情報記憶部）  ９０…表示部（天候表示部、時刻表示部）
【図１】
2018124101.tif 000003
【図２】
2018124101.tif 000004
【図３】
2018124101.tif 000005
【図４】
2018124101.tif 000006
【図５】
2018124101.tif 000007
【図６】
2018124101.tif 000008
【図７】
2018124101.tif 000009
【図８】
2018124101.tif 000010
【図９】
2018124101.tif 000011
【図１０】
2018124101.tif 000012
【図１１】
2018124101.tif 000013
【図１２】
2018124101.tif 000014